(57)【要約】【課題】  屈折を利用して広角で均一な光を発射し、ＬＥＤチップの温度を下げる効果も有し、ＬＥＤチップの使用寿命を増すことができるＬＥＤバルブのステム装置の提供。【解決手段】  トレイ、チップ、支持棒、ニクロム線及びステムを具え、ステムは一側に設けられた支持棒上端にチップを支持するトレイが連設され、該トレイに収容溝が凹設されてトレイ内周に円弧角円環が設けられ、上向きに開放状の陰極カップが形成され、  ステムに別にニクロム線が挿入され、該ニクロム線上端が横向きに折り曲げられて延伸された後に更に下向きに折り曲げられてフック状とされて尖端が形成され、該尖端はチップの表面に点状に圧接し、バルブ内の真空による循環吸熱によりチップを冷却し高熱を発生させず使用寿命を延長することを特徴とする。【選択図】        図２
0003105747.tif 000002
【実用新案登録請求の範囲】
【請求項１】
トレイ、チップ、支持棒、ニクロム線及びステムを具え、ステムは一側に設けられた支持棒上端にチップを支持するトレイが連設され、該トレイに収容溝が凹設されてトレイ内周に円弧角円環が設けられ、上向きに開放状の陰極カップが形成され、
ステムに別にニクロム線が挿入され、該ニクロム線上端が横向きに折り曲げられて延伸された後に更に下向きに折り曲げられてフック状とされて尖端が形成され、該尖端はチップの表面に点状に圧接し、バルブ内の真空による循環吸熱によりチップを冷却し高熱を発生させず使用寿命を延長することを特徴とする、ＬＥＤバルブのステム装置。
【請求項２】
請求項１記載のＬＥＤバルブのステム装置において、フック状のニクロム線の弾性によりチップの熱膨張冷縮に対応して尖端がチップに対する常態性の点接触の状態を維持することを特徴とする、ＬＥＤバルブのステム装置。
【請求項３】
請求項１記載のＬＥＤバルブのステム装置において、トレイの円弧角円環の傾斜によりチップの発生する光を異なる角度で屈折させて広角開放状の均一な光線を投射することを特徴とする、ＬＥＤバルブのステム装置。
【考案の詳細な説明】
【技術分野】
【０００１】
本考案はＬＥＤバルブのステム装置に係り、特に、屈折を利用して広角で均一な光を発射し、ＬＥＤチップの温度を下げる効果も有し、ＬＥＤチップの使用寿命を増すことができるＬＥＤバルブのステム装置に関する。
【背景技術】
【０００２】
伝統的なバルブはバルブ内にステムが設けられてタングステンフィラメントを支持し、これらステムにはステム管、支持線、ボタン、廃棄管、無空棒等の個別に加工された半製品を使用し、さらにタングステンフィラメントを固定した後にステム管に封着しなければならず、このような労力がかかり難度も作業ステーションを変換しなければならない作業は生産効率が悪く、品質の制御が難しく、不良率が高く製造コストと時代の経済条件に符合しない。並びにバルブ内に組合せ部品を組み付ける時にガラス球内の相当大きな空間を占有し、ガラス部品は鉛を含有し、点灯時に放出する鉛量によりバルブが高温となりタングステンフィラメントが焼損して使用寿命が短くなる。このような伝統的なバルブの欠点を解決するものとして近年、ＬＥＤが提供されたが、発光支持棒等はいずれも透明樹脂に封止され、内部の発光は限定された温度下では容認されるが、現在のＬＥＤの光エネルギーは有限であり、輝度を高めたり電力消耗が増す時、封止樹脂が溶融し廃棄しなければならなくなる。
【考案の開示】
【考案が解決しようとする課題】
【０００３】
本考案の主要な目的は、一種のＬＥＤバルブのステム装置を提供することにあり、それは、支持棒上端にチップを支持するトレイが設けられ、該トレイに収容溝が凹設されてトレイ内周に開放状の円弧角円環が設けられ、ニクロム線の上端が尖端とされて１８０度にフック状に折り曲げられてチップに圧接し、ＬＥＤバルブのステム装置の実用性が高められたものとする。
【０００４】
本考案の次の目的は、一種のＬＥＤバルブのステム装置を提供することにあり、それは、ニクロム線のフック状の折り曲げ部分の弾性により、チップの熱膨張冷収縮に応じて該尖端が常態でチップに点状に圧接する機能が確保されるものとする。
【０００５】
本考案の別の目的は、一種のＬＥＤバルブのステム装置を提供することにあり、それはトレイの内壁の円弧角円環の傾斜によりチップの発生する光を異なる角度に屈折して広角開放状を以て均一な光を投射するものとする。
【０００６】
本考案のさらに別の目的は、一種のＬＥＤバルブのステム装置を提供することにあり、それは、ガラス球内の真空による循環吸熱によりチップを冷却し高熱を発生させず使用寿命を延長できるものとする。
【課題を解決するための手段】
【０００７】
請求項１の考案は、トレイ、チップ、支持棒、ニクロム線及びステムを具え、ステムは一側に設けられた支持棒上端にチップを支持するトレイが連設され、該トレイに収容溝が凹設されてトレイ内周に円弧角円環が設けられ、上向きに開放状の陰極カップが形成され、
ステムに別にニクロム線が挿入され、該ニクロム線上端が横向きに折り曲げられて延伸された後に更に下向きに折り曲げられてフック状とされて尖端が形成され、該尖端はチップの表面に点状に圧接し、バルブ内の真空による循環吸熱によりチップを冷却し高熱を発生させず使用寿命を延長することを特徴とする、ＬＥＤバルブのステム装置としている。
請求項２の考案は、請求項１記載のＬＥＤバルブのステム装置において、フック状のニクロム線の弾性によりチップの熱膨張冷縮に対応して尖端がチップに対する常態性の点接触の状態を維持することを特徴とする、ＬＥＤバルブのステム装置としている。
請求項３の考案は、請求項１記載のＬＥＤバルブのステム装置において、トレイの円弧角円環の傾斜によりチップの発生する光を異なる角度で屈折させて広角開放状の均一な光線を投射することを特徴とする、ＬＥＤバルブのステム装置としている。
【考案の効果】
【０００８】
本考案によると、ニクロム線が１８０度折り曲げられたフック状を呈することで弾性伸縮機能を有し、チップが発光の熱で膨張する時、及び、不発光時に収縮する時のいずれにおいてもニクロム線の１８０度折り曲げられた尖端がチップと確実な常態性の圧接を形成し、トレイ内壁の円弧角円環の傾斜によりチップの発射する光線を異なる傾斜面で異なる角度に反射し、広角で均一な発光を形成し、さらにバルブがガラス球内の空気が排出されて真空とされていることで、空間が循環して吸熱しチップの熱エネルギーを発散させて高熱を発生させずチップの使用寿命を延伸する効果が得られ、ＬＥＤバルブのステム装置の実用性が高められている。
【考案を実施するための最良の形態】
【０００９】
本考案のＬＥＤバルブのステム装置は、支持棒上端にチップを支持するトレイが設けられ、該トレイに収容溝が凹設されてトレイ内周に開放状の円弧角円環が設けられ、ニクロム線の上端が尖端とされて１８０度にフック状に折り曲げられてチップに圧接し、このフック状の折り曲げ部分の弾性により、チップの熱膨張冷収縮に応じて該尖端が常態でチップに圧接する機能が確保される。トレイの内壁の円弧角円環の傾斜によりチップの発生する光が異なる角度に屈折されて広角開放状を以て投射され、バルブ内の真空による循環吸熱によりチップを冷却し高熱を発生させず使用寿命を延長し、ＬＥＤバルブのステム装置の実用性が大幅に増されたことをその特徴とする。
【実施例１】
【００１０】
図１から図５に示されるように、本考案のＬＥＤバルブのステム装置は、トレイ、チップ、支持棒、ニクロム線及びステムを具えている。ステム５は一側に設けられた支持棒５１上端にチップを支持するトレイ５２が連設され、支持棒５１末端は扁平にかしめられてマグネシウムめっき線５３と接続され、マグネシウムめっき線５３はステム５外に延伸されてマイナス極電源を導入するのに供される。トレイ５２の中央は凹んでチップ収容溝５５が形成され、このトレイ５２の内側に内径が上向きに漸増する陰極カップが設けられ、ステム５に別にニクロム線６が挿入され、該ニクロム線６上端が横向きに折り曲げられて延伸された後に更に下向きに折り曲げられて尖端６１が形成され、該尖端６１はチップ８の表面に接触し電流を導通させ、ニクロム線６の下端は別のマグネシウムめっき線６２３に接続され、該マグネシウムめっき線６２３がステム外部に延伸されてプラス極電源に接続される。
【図面の簡単な説明】
【００１１】
【図１】本考案のＬＥＤバルブのステム装置の使用状態図である。
【図２】本考案のＬＥＤバルブのステム装置の分解図である。
【図３】本考案のＬＥＤバルブのステム装置の動作表示図である。
【図４】本考案のＬＥＤバルブの点圧接、広角の光屈折の最良の実施例図である。
【図５】本考案のＬＥＤバルブと周知のバルブの比較図である。
【符号の説明】
【００１２】
５  ステム
５１  支持棒
５２  トレイ
５３  マグネシウムめっき線
５５  チップ収容溝
６  ニクロム線
６１  尖端
６２３  マグネシウムめっき線
８  チップ
９  ガラス球
【図１】
0003105747.tif 000003
【図２】
0003105747.tif 000004
【図３】
0003105747.tif 000005
【図４】
0003105747.tif 000006
【図５】
0003105747.tif 000007